(57)【要約】【課題】可動接点の押圧時にこの可動接点の立ち上がり部に作用する粘着シートによる吊り上げ力を軽減できる押釦スイッチの提供。【解決手段】周辺固定接点３に常時導通し、中央固定接点２に選択的に導通する可動接点４と、この可動接点４をハウジング１内に反転可能に保持させる粘着シート５とを備え、可動接点４が、反転可能な膨出部４ａと、膨出部４ａの周縁に形成される立ち上がり部４ｂとを含み、粘着シート５の可動接点４に対応する位置に、この粘着シート５を貫通する切断部５ｂ１を設けた。この切断部５ｂ１は、例えば弧状の長穴５ｂの粘着シート５の周縁部５ｄ１側に位置する縁部から成り、粘着シート５は、押圧力が与えられる押圧部５ｄと、この粘着シート５の周縁部５ｄ１とを連結する連結部５ｉを有する。【選択図】図６
2009043656.tif 000002
【特許請求の範囲】
【請求項１】
上面が開口され、収容部を有するハウジングと、このハウジングの上記収容部に形成された固定接点と、上記ハウジングの上記収容部に収容され、上記固定接点と接離可能な可動接点と、上記ハウジングに貼り付けられ、上記可動接点を反転可能に上記ハウジングに保持させる粘着シートとを備え、
上記可動接点が、与えられた押圧力により反転可能な膨出部と、この膨出部の周縁に形成される立ち上がり部とを含むとともに、
上記粘着シートの上記可動接点に対応する位置に、この粘着シートを貫通する切断部を設けたことを特徴とする押釦スイッチ。
【請求項２】
上記請求項１記載の発明において、
上記粘着シートの上記切断部が、上記粘着シートに形成した円形穴の周縁部から成ることを特徴とする押釦スイッチ。
【請求項３】
上記請求項１記載の発明において、
上記粘着シートの上記切断部が、上記粘着シートに形成した貫通穴の上記粘着シートの周縁部側に位置する縁部から成るとともに、
上記粘着シートは、押圧力が与えられる押圧部と、この粘着シートの上記周縁部とを連結する連結部を有することを特徴とする押釦スイッチ。
【請求項４】
上記請求項３記載の発明において、
上記貫通穴が、弧状の長穴から成ることを特徴とする押釦スイッチ。
【請求項５】
上記請求項３記載の発明において、
上記貫通穴が、環状に複数配置されたスリットから成ることを特徴とする押釦スイッチ。
【請求項６】
上記請求項３記載の発明において、
上記貫通穴が、角穴から成ることを特徴とする押釦スイッチ。
【発明の詳細な説明】
【技術分野】
【０００１】
本発明は、可動接点を押圧反転させて固定接点との接離を行なわせる押釦スイッチに関する。
【背景技術】
【０００２】
この種の従来技術として、特許文献１に示されるものがある。この従来技術は、上面が開口し、底部に中央固定接点及び周辺固定接点がインサート成形されたハウジングと、このハウジングの収容部に収容され、周辺固定接点に常時導通し、中央固定接点に選択的に導通するドーム状の可動接点とを備えている。この可動接点は、中央固定接点に対向するように配置される膨出部と、この膨出部の周縁に形成されて周辺固定接点に常時導通し、所定角度で立ち上がるスカート部、すなわち立ち上がり部とを備えている。さらに、ハウジングに可動接点を保持させるために、また、接点部分への外部のガスや塵の侵入の防止のために、可動接点を覆うようにしてハウジングに貼り付けられる可撓性シートを備えている。この可撓性シートは、例えば裏面に粘着剤が塗布された粘着シートから構成されている。
【０００３】
この従来技術では、可動接点に押圧力が与えられていない状態では、可動接点の膨出部が中央固定接点から離間し、これにより周辺固定接点と中央固定接点との間が遮断され、スイッチオフに保たれる。このような状態から、粘着シートを介して可動接点に押圧力が与えられると、可動接点の膨出部が反転してクリック感が得られるとともに、この膨出部が中央固定接点に接触する。これにより、可動接点を介して周辺固定接点と中央固定接点とが導通し、スイッチオンとなる。
【特許文献１】特開２００３−２３４０４０公報
【発明の開示】
【発明が解決しようとする課題】
【０００４】
上述した従来技術では、裏面に粘着剤を有する粘着シートを介して可動接点に押圧力が与えられてスイッチオンとなる際に、上述の押圧力に伴う可動接点の膨出部の反転によって粘着シートの表面に張力が生じ、この表面の張力によって可動接点の膨出部の周縁を形成する立ち上がり部に、粘着シート方向への吊り上げ力が作用する。このように可動接点の立ち上がり部に対して吊り上げ力が作用すると、可動接点の立ち上がり部と周辺固定接点との間に所望の接触圧を確保することが難しくなる。すなわち、この可動接点の立ち上がり部と周辺固定接点との接触状態が不安定になり、スイッチ性能が低下する懸念がある。
【０００５】
本発明は、前述した従来技術における実状からなされたもので、その目的は、可動接点の押圧時にこの可動接点の立ち上がり部に作用する粘着シートによる吊り上げ力を軽減できる押釦スイッチを提供することにある。
【課題を解決するための手段】
【０００６】
この目的を達成するために、本発明は、上面が開口され、収容部を有するハウジングと、このハウジングの上記収容部に形成された固定接点と、上記ハウジングの上記収容部に収容され、上記固定接点と接離可能な可動接点と、上記ハウジングに貼り付けられ、上記可動接点を反転可能に上記ハウジングに保持させる粘着シートとを備え、上記可動接点が、与えられた押圧力により反転可能な膨出部と、この膨出部の周縁に形成される立ち上がり部とを含むとともに、上記粘着シートの上記可動接点に対応する位置に、この粘着シートを貫通する切断部を設けたことを特徴としている。
【０００７】
このように構成した本発明は、粘着シートによって可動接点が覆われることにより、接点部分に対する外部のガス、あるいは塵埃等の侵入を防止できる。また、スイッチ操作のために可動接点の膨出部に押圧力が与えられ、この膨出部が反転した際に、粘着シートの切断部において膨出部の反転動作に引きずられて粘着シートの粘着剤が弾性変形し、粘着シートの「ずり運動」を生じる。この粘着シートのずり運動によって粘着シートに生ずる表面の張力の発生が抑えられ、この粘着シートによる可動接点の立ち上がり部に対する吊り上げ力が軽減される。これにより、可動接点の立ち上がり部と固定接点との間に所望の接触圧を確保でき、これらの可動接点の立ち上がり部と固定接点間の安定した接触状態を維持できる。
【０００８】
また、本発明は、上記発明において、上記粘着シートの上記切断部が、上記粘着シートに形成した貫通穴である円形穴の周縁部から成ることを特徴としている。このように構成した本発明は、可動接点が押圧された際、円形穴の全周縁部において粘着シートの粘着剤の弾性変形を生じさせ、この全周縁部において均等に粘着シートのずり運動を行なわせることができる。
【０００９】
また、本発明は、上記発明において、上記粘着シートの上記切断部が、上記粘着シートに形成した貫通穴の上記粘着シートの周縁部側に位置する縁部から成るとともに、上記粘着シートは、押圧力が与えられる押圧部と、この粘着シートの上記周縁部とを連結する連結部を有することを特徴としている。このように構成した本発明は、粘着シートの押圧部と周縁部とを連結部で一体に連結したことから、可動接点をハウジングに保持させる保持力を大きく確保することができる。
【００１０】
また、本発明は、上記発明において、上記貫通穴が、弧状の長穴、または環状に複数配置されたスリット、または角穴から成ることを特徴としている。これらのように構成した本発明は、粘着シートに切断部、及び連結部を容易に設けることができる。
【発明の効果】
【００１１】
本発明は、粘着シートが可動接点に覆われることにより、接点部分に対する外部のガスあるいは塵埃等の侵入を防止できるとともに、粘着シートの可動接点に対応する位置に、この粘着シートを貫通する切断部を設けたことから、可動接点の押圧時に、この可動接点の立ち上がり部に作用する粘着シートの吊り上げ力を、粘着シートの切断部に生じる粘着剤の弾性変形に伴う粘着シートのずり運動によって軽減でき、これによって、可動接点の立ち上がり部と固定接点との間に所望の接触圧を確保することができる。したがって、可動接点の立ち上がり部と固定接点間の安定した接触状態を維持でき、従来に比べて優れたスイッチ性能を確保できる。
【発明を実施するための最良の形態】
【００１２】
以下，本発明に係る押釦スイッチを実施するための最良の形態を図に基づいて説明する。
【００１３】
図１は本発明に係る押釦スイッチの第１実施形態を示す斜視図、図２は図１に示す第１実施形態の分解斜視図、図３は図１に示す第１実施形態の縦断面図である。
【００１４】
これらの図１〜３に示すように、この第１実施形態は、上面が開口され、収容部１ａを有し、合成樹脂等の絶縁材から成るハウジング１と、このハウジング１にインサート成形され、導電性の金属材から成る中央固定接点２、及び周辺固定接点３とを備えている。また、ハウジング１の収容部１ａに収容され、常時周辺固定接点３と導通し、中央固定接点２と選択的に導通する可動接点４を備えている。
【００１５】
この可動接点４は、片面に銀めっきなどの表面処理が施されたリン青銅やステンレスなどから成る導電性金属薄板を略ドーム状に打ち抜き形成されたものであり、中央固定接点２に選択的に接続される膨出部４ａを有し、この膨出部４ａの周縁に所定角度で立ち上がる立ち上がり部４ｂを有している。膨出部４ａと立ち上がり部４ｂとの境界、すなわち立ち上がり部４ｂの頂部付近には、この可動接点４の押圧時の座屈起点４ｂ１が形成されている。
【００１６】
また、可動接点４を反転可能にハウジング１の収容部１ａ内に保有させる粘着シート５を備えており、この粘着シート５は裏面に粘着剤を有し、可動接点４及びハウジング１に貼り付けられている。この粘着シート５は、例えば剛性を有するポリイミド（ＰＩ）から成っている。
【００１７】
特にこの第１実施形態は、粘着シート５が可動接点４に対向する位置に、例えば可動接点４の膨出部４ａに対向する位置に、この粘着シート５を貫通する切断部５ａ１を有し、この切断部５ａ１は例えば貫通穴である円形穴５ａの周縁部から成っている。なお、円形穴５ａの直径をＨ、可動接点４の直径をＭとすると、この円形穴５ａの直径Ｈは、例えば
０．７Ｍ≦Ｈ＜Ｍ
の範囲の値に設定してある。また、この円形穴５ａの周縁部、すなわち切断部５ａ１が、座屈起点４ｂ１よりも膨出部４ａ側に位置するように、粘着シート５を可動接点４及びハウジング１に貼り付けてある。
【００１８】
図４は第１実施形態の動作を示す縦断面図、図５は第１実施形態の要部拡大図で、（ａ）図は図３に対応する要部拡大図、（ｂ）図は図４に対応する要部拡大図である。
【００１９】
この第１実施形態は、可動接点４に押圧力が与えられない状態では、前述した図３に示すように、可動接点４の膨出部４ａが中央固定接点２から離間し、これにより周辺固定接点３と中央固定接点２との間が遮断され、スイッチオフに保たれる。このような状態から、図示しないキートップ等により可動接点４に押圧力が与えられると、図４に示すように、可動接点４の膨出部４ａが反転してクリック感が得られるとともに、この膨出部４ａが中央固定接点２に接触する。これにより、可動接点４を介して周辺固定接点３と中央固定接点２とが導通し、スイッチオンとなる。可動接点４に与えられていた押圧力が除かれると、可動接点４自身が保有する弾性力により図３に示す初期形態に復帰し、スイッチオフとなる。
【００２０】
このように構成した第１実施形態は、粘着シート５によって可動接点４が覆われることにより、接点部分に対する外部のガス、あるいは塵埃等の侵入を防止できる。また特に、可動接点４の膨出部４ａに押圧力が与えられ、この膨出部４ａが反転した際に、粘着シート５の円形穴５ａの周縁部を形成する切断部５ａ１において、膨出部４ａの反転に引きずられて粘着シート５の図５の（ａ）図に示す粘着剤６が、図５の（ｂ）図に示すように弾性変形し、粘着シート５の「ずり運動」を生じる。この粘着シート５のずり運動によって粘着シート５の表面の張力の発生が抑えられ、この粘着シート５による可動接点５の立ち上がり部４ｂに対する吊り上げ力が軽減される。これにより、可動接点４の立ち上がり部４ｂと周辺固定接点３との間に所望の接触圧を確保することができる。したがって、可動接点４の立ち上がり部４ｂと周辺固定接点３間の安定した接触状態を維持でき、優れたスイッチ性能を確保することができる。
【００２１】
また、この第１実施形態は、粘着シート５の切断部５ａ１が、粘着シート５に形成した円形穴５ａの周縁部から成ることから、可動接点４が押圧された際、円形穴５ａの全周縁部において粘着シート５の粘着剤６の弾性変形を生じさせ、この全周縁部において均等に粘着シート５のずり運動を行なわせることができる。
【００２２】
なお、この第１実施形態では、円形穴５ａの周縁部を形成する切断部５ａ１を、座屈起点４ｂ１よりも膨出部４ａ側に位置するように配置してあるが、この円形穴５ａによって形成される切断部５ａ１を座屈起点４ｂ１の近傍部分に設けることもできる。このように構成したものも、可動接点４の押圧時に切断部５ａ１において粘着剤６の弾性変形を生じさせ、粘着シート５のずり運動を行なわせることができる。
【００２３】
図６は本発明の第２実施形態を示す斜視図である。この図６に示す第２実施形態は、粘着シート５を貫通する切断部５ｂ１が、粘着シート５の可動接点４に対向する位置に形成した貫通穴、例えば弧状の長穴５ｂの粘着シート５の周縁部５ｄ１側に位置する縁部から成るとともに、粘着シート５は、押圧力が与えられる押圧部５ｄと、この粘着シート５の周縁部５ｄ１とを連結する連結部５ｃを有する構成にしてある。その他の構成は前述した第１実施形態と同等である。
【００２４】
このように構成した第２実施形態も、粘着シート５の押圧部５ｄを介して可動接点４の膨出部４ａに押圧力が与えられ、可動接点４が反転して中央固定接点２に導通し、スイッチオンとなったときに、長穴５ｂの切断部５ｂ１において、粘着シート５の粘着剤６が弾性変形し、粘着シート５のずり運動を生じさせることができるので、前述した第１実施形態と同等の効果が得られる。
【００２５】
また特に、連結部５ｃを介して粘着シート５の押圧部５ｄと周縁部５ｄ１とを一体に形成してあるので、可動接点４をハウジング１に保持させる保持力を大きく確保することができ、所望の接触圧の確保に貢献する。
【００２６】
また、粘着シート５に弧状の長穴５ｂを設けることにより、この粘着シート５に切断部５ｂ１、及び連結部５ｃを容易に設けることができる。
【００２７】
図７は本発明の第３実施形態を示す斜視図である。この図７に示す第３実施形態は、粘着シート５の切断部５ｅ１が、粘着シート５の可動接点４に対向する位置に形成した貫通穴、例えば環状に複数配置されたスリット５ｅそれぞれの粘着シート５の周縁部５ｇ１側に位置する縁部から成るとともに、粘着シート５は、押圧力が与えられる押圧部５ｇと、この粘着シート５の周縁部５ｇ１とを連結する連結部５ｃを有する構成にしてある。その他の構成は前述した第１実施形態と同等である。
【００２８】
このように構成した第３実施形態も、粘着シート５の押圧部５ｇを介して可動接点４の膨出部４ａに押圧力が与えられ、可動接点４が反転して中央固定接点２に導通し、スイッチオンとなったときに、スリット５ｅそれぞれの切断部５ｅ１において、粘着シート５の粘着剤６が弾性変形し、粘着シート５のずり運動を生じさせることができ、前述した第１実施形態と同等の効果が得られる。
【００２９】
また特に、連結部５ｆを介して粘着シート５の押圧部５ｇと周縁部５ｇ１とを一体に形成してあるので、可動接点４をハウジング１に保持させる保持力を大きく確保することができ、所望の接触圧の確保に貢献する。
【００３０】
また、粘着シート５にスリット５ｅをそれぞれ設けることにより、この粘着シート５に切断部５ｅ１、及び連結部５ｆを容易に設けることができる。
【００３１】
図８は本発明の第４実施形態を示す斜視図である。この図８に示す第４実施形態は、粘着シート５の切断部５ｈ１が、粘着シート５の可動接点４に対向する位置に形成した貫通穴、例えば互いに対向するように、可動接点４の一対の周辺固定接点３の近傍に設けた一対の角穴５ｈの粘着シート５の周縁部５ｊ１側に位置する縁部から成るとともに、粘着シート５は、押圧力が与えられる押圧部５ｊと、この粘着シート５の周縁部５ｊ１とを連結する連結部５ｉを有する構成にしてある。その他の構成は前述した第１実施形態と同等である。
【００３２】
このように構成した第４実施形態も、粘着シート５の押圧部５ｊを介して可動接点４の膨出部４ａに押圧力が与えられ、可動接点４が反転して中央固定接点２に導通し、スイッチオンとなったときに、角穴５ｈそれぞれの切断部５ｈ１において、粘着シート５の粘着剤６が弾性変形し、粘着シート５のずり運動を生じさせることができ、前述した第１実施形態と同等の効果が得られる。
【００３３】
また特に、連結部５ｉを介して粘着シート５の押圧部５ｊと周縁部５ｊ１とを一体に形成してあるので、可動接点４をハウジング１に保持させる保持力を大きく確保することができ、所望の接触圧の確保に貢献する。
【００３４】
また、粘着シート５に角穴５ｈをそれぞれ設けることにより、この粘着シート５に切断部５ｈ１、及び連結部５ｉを容易に設けることができる。
【００３５】
なお、前述した第２〜第４実施形態は、粘着シート５に貫通穴、すなわち弧状の長穴５ｂ、環状に複数配置されたスリット５ｅ、一対の角穴５ｈを設けることによって、この粘着シート５を貫通する切断部５ｂ１，５ｅ１，５ｈ１をそれぞれ形成してあるが、本発明は、このように粘着シート５を貫通する切断部を、貫通穴を設けることによって形成することには限られない。すなわち、前述の第２〜第４実施形態におけるように粘着シート５に貫通穴を設けて切断部を形成する代わりに、この粘着シート５を貫通する単なる切れ目を形成してもよい。例えば、粘着シート５の押圧部と周縁部を連結する連結部を有するように、可動接点４の膨出部４ａに対応する位置に弧状に形成された切れ目を設ける構成にしてもよい。
【００３６】
このように粘着シート５の切断部を、単に粘着シート５を貫通する切れ目によって構成したものも、可動接点４の押圧による膨出部４ａの反転に伴って、粘着剤６に弾性変形を生じさせ、粘着シート５のずり運動を行なわせることができ、第２〜第４実施形態と同等の効果が得られる。
【図面の簡単な説明】
【００３７】
【図１】本発明に係る押釦スイッチの第１実施形態を示す斜視図である。
【図２】図１に示す第１実施形態の分解斜視図である。
【図３】図１に示す第１実施形態の縦断面図である。
【図４】第１実施形態の動作を示す縦断面図である。
【図５】第１実施形態の要部拡大図で、（ａ）図は図３に対応する要部拡大図、（ｂ）図は図４に対応する要部拡大図である。
【図６】本発明の第２実施形態を示す斜視図である。
【図７】本発明の第３実施形態を示す斜視図である。
【図８】本発明の第４実施形態を示す斜視図である。
【符号の説明】
【００３８】
１    ハウジング
２    中央固定接点
３    周辺固定接点
４    可動接点
４ａ  膨出部
４ｂ  立ち上がり部
４ｂ１  座屈起点
５    粘着シート
５ａ  円形穴
５ａ１  切断部
５ｂ  長穴（貫通穴）
５ｂ１  切断部
５ｃ  連結部
５ｄ  押圧部
５ｄ１  周縁部
５ｅ  スリット（貫通穴）
５ｅ１  切断部
５ｆ  連結部
５ｇ  押圧部
５ｇ１  周縁部
５ｈ  角穴（貫通穴）
５ｈ１  切断部
５ｉ  連結部
５ｊ  押圧部
５ｊ１  周縁部
６    粘着剤
【図１】
2009043656.tif 000003
【図２】
2009043656.tif 000004
【図３】
2009043656.tif 000005
【図４】
2009043656.tif 000006
【図５】
2009043656.tif 000007
【図６】
2009043656.tif 000008
【図７】
2009043656.tif 000009
【図８】
2009043656.tif 000010